Podtech/llm-jp-corpus-v4-ja_patent huggingface dataset:
(57)【要約】【課題】携帯型茶漉しカップの提供。【解決手段】携帯型茶漉しカップは、上カップ体、リング、下カップ体からなり、上カップ体は一体成型された錐体で、フィルターを置入する。錐体は通孔を有し、リングは中空状で、中央に止水片を設置し、下カップ体一端は口部を設置し、もう一端は容置空間で、リングを置入し、上カップ体と下カップ体を旋転させ、茶葉と茶を分離し、また、上カップ体と下カップ体を反転させると、飲用に便利である。【選択図】    図１
0003145992.tif 000002
【実用新案登録請求の範囲】
【請求項１】
携帯型茶漉しカップであって、上カップ体と、下カップ体と、リングと、からなり、
前記上カップ体は、上蓋を設置し、内に一体成型の錐体、及び、凸点を設置し、フィルターを置入すると共に、前記錐体は通孔を設置し、前記上カップ体の内螺紋と前記下カップ体の外螺紋が螺合し、
前記下カップは、下蓋を設置し、前記下蓋は止水片を設置し、その一端は口部を有し、もう一端は容置空間を設置して、前記リングを置入し、
前記リングは中空状で、中央に止水片を設置することを特徴とする携帯型茶漉しカップ。
【請求項２】
前記上蓋の内螺紋と前記上カップ体の外螺紋は螺合することを特徴とする請求項１に記載の携帯型茶漉しカップ。
【請求項３】
前記下蓋の内螺紋と前記下カップ体の外螺紋は螺合することを特徴とする請求項１に記載の携帯型茶漉しカップ。
【考案の詳細な説明】
【技術分野】
【０００１】
本考案は、携帯型カップに関するものであって、特に、携帯型カップを旋転させて、適時で濾過されたお茶ができ、飲用時に、上カップ体と下カップ体を反転させるだけで、飲用が便利な携帯型茶漉しカップに関するものである。
【背景技術】
【０００２】
一般の茶漉し付きカップは、カップ内にフィルター孔があるフィルターカップを設計し、お茶を飲む時、お湯をカップに注ぎいれ、フィルターカップにお茶を入れて、それをカップに入れて茶葉をお湯中に浸し、一定時間待ち、飲用する。お茶を飲む時、茶葉とお湯が混合するのを回避するため、フィルターカップを取り出す。フィルターカップはフィルター孔があるので、摘出された茶水がテーブルを汚す。また、茶葉と茶水を茶葉こしカップで混合する設計は、フィルターカップをカップ内に固定するので、茶葉が口に入ることがなく、フィルターカップを取り出す必要もないが、茶葉と茶水を混合するので、茶葉を浸す時間が長くなると、茶が渋くなり、お茶のおいしさが失われる。
【考案の開示】
【考案が解決しようとする課題】
【０００３】
本考案の目的は、携帯型茶漉しつきカップを提供し、上述の問題を改善することにある。
【課題を解決するための手段】
【０００４】
本考案の携帯型茶漉しカップは、上カップ体、リング、下カップ体からなり、上カップ体は上蓋を設置し、内に一体成型された錐体を設置し、フィルターを置入する。錐体は通孔を有し、リングは中空状で、中央に止水片を設置し、下カップ体は下蓋を設置し、下蓋は止水片を設置し、その一端は口部を設置し、もう一端は容置空間で、リングを置入し、上カップ体と下カップ体を旋転させ、茶葉とお茶を分離し、また、上カップ体と下カップ体を反転させると、飲用に便利である。
【考案の効果】
【０００５】
本考案の携帯型茶漉しカップは、携帯型カップを旋転させて、適時で濾過されたお茶ができ、飲用時に、上カップ体と下カップ体を反転させるだけで、飲用が便利である。
【考案を実施するための最良の形態】
【０００６】
図１、図４、図５を参照すると、本考案の携帯型茶漉しカップは、上カップ体１、リング２、下カップ体３からなり、上カップ体１は上蓋１１を設置し、フィルター１２を置入する。リング２は中空状で、中央に止水片２１を設置し、下カップ体３は下蓋３１を設置し、下蓋３１は止水片３１０を設置し、上カップ体１と下カップ体３を旋転させ、適時のお茶を下カップ体３に流入させ、茶葉と茶を分離し、また、上カップ体１と下カップ体３を反転させると、飲用に便利である。
【０００７】
図１と図２を参照すると、上カップ体１は一体成型された錐体１０を設置して、フィルター１２を置入し、錐体１０は通孔１０１を設置し、且つ、上カップ体１内に凸点１１１を設置して、フィルター１２の脱落を防止する。
【０００８】
図３と図５を参照すると、下カップ３の一端は口部３０を設置し、もう一端は容置空間３０１を設置して、リング２を置入し、リング２は縁部２０１を有し、容置空間３０１内側の凸縁３０２に係止する。
【０００９】
図２、図３、及び、図５を参照すると、上カップ体１の内螺紋１３と下カップ体３の外螺紋３２は螺合し、上蓋１１の内螺紋１１２と上カップ体１の外螺紋１４は螺合し、下蓋３１の内螺紋３１１と下カップ体３の外螺紋３３は螺合する。
【００１０】
図６〜図９を参照すると、使用時、まず、上カップ体１と下カップ体３を緊密に螺合し、リング２の止水片２１により、上カップ体１の錐体１０の通孔１０１を密封し、上蓋１１を開いて、茶葉４とお湯を入れ（図６で示される）、上蓋１１を緊密に締め、茶を抽出させ、上カップ体１と下カップ体３を旋転させ、リング２の止水片２１が錐体１０の通孔１０１を脱離し、茶５がリング２から下カップ体３に流入し（図７で示される）、茶５と茶葉４が分離した後、上カップ体１と下カップ体３を緊密に締め、リング２の止水片２１により、上蓋１の錐体１０の通孔１０１を密封し、この時、上カップ体１と下カップ体３を反転させ、下カップ体３を茶水カップにし（図８で示される）、その後、下蓋３１を開ければ、飲用できる（図９で示される）。このような設計により、茶葉４の抽出時間が長すぎることなく、また、携帯にも便利で、実用的である。
【図面の簡単な説明】
【００１１】
【図１】本考案の立体分解図である。
【図２】本考案の上カップ体の断面図である。
【図３】本考案の下カップ体の断面図である。
【図４】本考案の立体組み合わせ図である。
【図５】本考案の断面図である。
【図６】本考案の茶葉抽出中動作図である。
【図７】本考案の茶葉と茶の分離動作図である。
【図８】本考案の反転完成図である。
【図９】本考案の引用時の外観図である。
【符号の説明】
【００１２】
上カップ体１、
リング２、
下カップ体３、
錐体１０、
上蓋１１、
フィルター１２、
内螺紋１３、
外螺紋１４、
止水片２１、
口部３０、
下蓋３１、
外螺紋３２、
外螺紋３３
通孔１０１、
凸点１１１、
内螺紋１１２、
縁部２０１、
容置空間３０１、
凸縁３０２、
止水片３１０、
内螺紋３１１。
【図１】
0003145992.tif 000003
【図２】
0003145992.tif 000004
【図３】
0003145992.tif 000005
【図４】
0003145992.tif 000006
【図５】
0003145992.tif 000007
【図６】
0003145992.tif 000008
【図７】
0003145992.tif 000009
【図８】
0003145992.tif 000010
【図９】
0003145992.tif 000011
(57)【要約】      （修正有）【課題】鏡に文字や絵などを描画する場合に、光を用いて均等に描画部分の視認性を高める発光表示装置を提供する。【解決手段】発光表示装置Ｘとして、反射層１１を有する鏡本体１０と、前記反射層１１部分に背面から光を通すように形成される描画部分１２と、前記反射層１１部分の背面側に設けられる光を照射する発光手段とを設ける。更に、望ましくは、前記発光手段は、発光色の異なる２以上の発光体を有し、各発光体は、少なくとも２以上の発光体の発光色が同時に同じにならない状態が生じるように点滅するように構成する。【選択図】図２
0003145082.tif 000002
【実用新案登録請求の範囲】
【請求項１】
反射層を有する鏡本体と、
前記反射層部分に背面から光を通すように形成される描画部分と
前記反射層部分の背面側に設けられる光を照射する発光手段と、
を有する発光表示装置。
【請求項２】
前記発光手段は、発光色の異なる２以上の発光体を有し、各発光体は、少なくとも２以上の発光体の発光色が同時に同じにならない状態を生じるように点滅するように構成される請求項１に記載の発光表示装置。
【請求項３】
前記発光手段は、複数の光源からなり、各光源は２以上の色が自動点滅するように形成されたLEDから構成されるものである請求項２に記載の発光表示装置。
【考案の詳細な説明】
【技術分野】
【０００１】
本考案は、鏡に描かれる文字や絵などを発光体により発光させる発光表示装置に関する。
【背景技術】
【０００２】
鏡の表面や裏面に文字や絵などを彫刻加工したものが、店舗や結婚式のウェルカムボードなどで使われていることは良く知られている。このような表示装置には、単純に鏡に文字等を彫刻するものや、その鏡本体の側面から彫刻加工をした部分に光を照射するものなどがある。
【考案の開示】
【考案が解決しようとする課題】
【０００３】
しかしながら、このように鏡に彫刻を施す場合、インク等で着色した場合を除いて彫刻部分が白くなるために、鏡の表面裏面いずれの面に彫刻を施しても、彫刻された部分が鏡に写った景色に同化してしまい何が彫刻されているのか判別しづらいという問題があった。
また、鏡本体の側面から光を照射する場合も、多少見にくさは緩和されるが、側面の光源から彫刻部分までの距離によって輝度のばらつきが生じるという問題がある。
以上のような問題に鑑み、本考案は、鏡に文字や絵などを描画する場合に、光を用いて均等に描画部分の視認性を高めることを課題とする。
【課題を解決するための手段】
【０００４】
上記課題を解決するために、本考案は次のような構成を有する。
請求項１に記載の考案は、反射層を有する鏡本体と、前記反射層部分に背面から光を通すように形成される描画部分と、前記反射層部分の背面側に設けられる光を照射する発光手段とを有する発光表示装置である。
請求項２に記載の考案は、前記発光表示装置において、前記発光手段は、発光色の異なる２以上の発光体を有し、各発光体は、少なくとも２以上の発光体の発光色が同時に同じにならない状態が生じるように点滅するように構成されるものである。
請求項３に記載の考案は、請求項２に記載の発光表示装置であって、前記発光手段は、複数の光源からなり、各光源は２以上の色が自動点滅するように形成されたLEDから構成されるものである。
【考案の効果】
【０００５】
請求項１に記載の考案は、鏡の反射層に背面側から光りを通すように描画部分が形成され、この描画部分の背面側から光を照射するので、描画部分が発光し視認性が高くなる。また、直接描画部分の背面側から光を照射するので、照射位置を適当なものとすることで均等に描画部分を発光させることができる。
請求項２に記載の考案は、２以上の発光体が２以上の発光色が互いに重ならない状態が生じるように点滅することで、描画部分に動き生じ、さらに視認性を高くすることができ、また、意匠性も向上させることができる。
請求項３に記載の考案は、２以上の色が自動点滅するように形成されたＬＥＤを用いることで、本発光表示装置の構造を簡易にし、また、厚さを薄くすることができる。
【考案を実施するための最良の形態】
【０００６】
以下、本考案の実施形態について、図を参照しながら説明する。
図１に本実施形態に係る発光表示装置Ｘを模式的に示す分解斜視図を示し、図２に発光表示体Ｘの部分拡大縦端面図を示す。発光表示装置Ｘは、反射層１１を有する鏡本体１０と、背面の発光部２０とから構成される。鏡本体１０は、透明なアクリル板の裏面に反射層１１を蒸着したものであり、反射層１１にはレーザー加工機により削り取ることで文字が表された描画部１２が形成されている。描画部１２部分は、反射層が削り取られているので、背面側からの光が鏡本体の表面ヘ通ることとなる。発光部２０は、市販されている点滅回路が内蔵されたＲＧＢの３色の発光体からなる７色が自動点滅するＬＥＤ２１を複数鏡本体１０の裏面に配列したものである。ここでは、鏡本体１０背面に、ＬＥＤ２１を縦横に等距離に配置しているが、ＬＥＤ２１を描画部１２の背面位置に集中させるようにしてもよい。ＬＥＤ２１は、点滅する際に、ほとんどの場合に隣接する色が異なるように設定され、また、隣接する色の異なる光が互いに干渉し合うように一定の距離が設けられる。
【０００７】
本実施形態に係る発光表示装置Ｘ上記のように構成されることで、鏡本体１０の表面から見ると描画部１２のみが様々な色で光る為、描画部１２により表されるメッセージを鮮明に読み取ることが出来る。又、発光部２０を構成する各々のＬＥＤの色が不規則に変化するので、その光源に照射されたメッセージはグラデーションが動くようにフルカラーで表示され意匠性に富むものとなる。また、鏡本体１０を額縁などにいれると、さらに意匠性を高めることができる。
【０００８】
なお、本実施形態では、描画部１２は、鏡本体１０の反射層１１を削ることで形成したが、反射層１１が形成された薄いシート体を切り抜くことで描画部１２を形成し、これに透明板を重ねることで鏡本体１０を形成するようにしてもよい。
また、発光体として７色が自動点滅するＬＥＤを用いたが、単色のＬＥＤを用いてもよく、点滅もプログラムによって制御したり、人為的にコントロールするようにしたりしてもよい。また、光源もＬＥＤに限られず、電球等でもよい。
【図面の簡単な説明】
【０００９】
【図１】実施形態に係る発光表示装置を模式的に示す分解斜視図である。
【図２】実施形態に係る発光表示装置の一部拡大縦端面図である。
【符号の説明】
【００１０】
Ｘ  発光表示装置
１０    鏡本体
１１    反射層
１２    描画部
２０    発光部
【図１】
0003145082.tif 000003
【図２】
0003145082.tif 000004
(57)【要約】      （修正有）【課題】広い開口部より唾をパイプ内部に導きやすく、いわゆるジュースが発生しにくい喫煙パイプのマウスピースノズル構造を提供する。【解決手段】喫煙パイプ・マウスピース１の口当て３に煙道５より直線方向に設ける小口径円形ノズル４を直径１ミリ程度の小穴として、発生する唾のパイプ本体への流入を防ぎ、かつ喫煙パイプ・マウスピース１の小口径円形ノズル４直前位置の内部に乱流を発生させる乱流発生用内部空間２を設け、煙道５より導かれた煙草煙を、小口径円形ノズル４より、円錐状に広く拡散させる事により煙草喫煙時の喫味を向上させる。【選択図】図１
0003145013.tif 000002
【実用新案登録請求の範囲】
【請求項１】
煙道の直線方向に小口径円形ノズルを設けた喫煙パイプ・マウスピース  
【請求項２】
請求項１の小口径円形ノズルの直前部分に煙拡散用の乱流発生用内部空間を設けた喫煙パイプ・マウスピース
【考案の詳細な説明】
【技術分野】
【０００１】
本考案は、喫煙パイプ・マウスピース先端のノズルに工夫を加え、煙草煙吸引時の唾の流入防止と煙拡散を可能にしたものである。
【背景技術】
【０００２】
従来普及の喫煙パイプ・マウスピースに設けられていた煙拡散の仕組みはマウスピース口当て部分に、口内に向かい扇状に広げたノズルを設け吸飲時の煙草煙を口内で拡散させるものであった。また、アイルランド国ピーターソン社の特許にマウスピース口当ての上部に小口径の円形ノズルを設けている先例は存在するものの、本考案のような直線方向に小口径円形ノズルを設けた例は見られない。
【考案の開示】
【考案が解決しようとする課題】
【０００３】
一般に普及している従来型の喫煙パイプ・マウスピースのノズルは開口部が横に広く、発生した唾を喫煙パイプ本体内に流入させやすく、いわゆる「ジュース」が喫煙パイプ火皿に侵入しパイプ喫煙の妨げとなるものであった。本考案はパイプ煙草喫煙時における唾の流入防止と煙草煙の口内での効果的な拡散を同時に解決すること課題とする。
【課題を解決するための手段】
【０００４】
この課題を解決するための請求項１の考案は、喫煙パイプ・マウスピースのノズルを直径１ミリ程度の小口径の円形として発生する唾のパイプ内部への流入を防止する。
【０００５】
請求項２の考案は、小口径円形ノズルの直前部分の喫煙パイプ・マウスピース内部に空間を設けるこで、煙草煙に乱流を発生させ、小口径円形ノズルからの煙草煙を口内で拡散させることを可能とする。
【考案の効果】
【０００６】
パイプ煙草喫煙時に発生するいわゆる「ジュース」が発生しにくくなり、かつ吸引する煙草煙の拡散効果で、パイプ喫煙の喫味が向上する。
【図面の簡単な説明】
【０００７】
【図１】喫煙パイプ・マウスピースの小口径円形ノズル部分の立体断面図である。
【図２】喫煙パイプ・マウスピースの小口径円形ノズル部分の横断面図である。
【符号の説明】
【０００８】
１  喫煙パイプ・マウスピース
２  乱流発生用内部空間
３  口当て  
４  小口径円形ノズル
５  煙道
【図１】
0003145013.tif 000003
【図２】
0003145013.tif 000004
【手続補正書】
【提出日】平成20年7月13日(2008.7.13)
【手続補正１】
【補正対象書類名】図面
【補正対象項目名】全図
【補正方法】変更
【補正の内容】
【図１】
0003145013.tif 000005
【図２】
0003145013.tif 000006
(57)【要約】      （修正有）【課題】医療機関における注射薬調整の安全な作業環境を維持するための小型調整ケースを提供する。【解決手段】調製ケースの本体１はポリエチレン、ポリプロピレンなど耐薬品性の素材を使用し、その表面は薬品による滅菌、清拭を行うためできるだけ平滑とする。また調製のためケース内に手を差し入れる開口部が２つあり吸気口も兼ねている。調製時の視認性確保のため透明窓を設けておりガラス又は耐薬品性のある合成樹脂を用いる。前面は両側の留め具を外せば開閉できる。背面中央よりやや上部に活性炭フィルターを装着した排気口がありダクトで吸引装置に接続する。【選択図】図１
0003145020.tif 000002
【実用新案登録請求の範囲】
【請求項１】
注射薬調製のためケース内に手を挿入できる吸気口を兼ねた２つの開口部を前面又は両側面に設けるとともに、排気ダクトと適当な吸引ポンプ、吸引ファン、市販の掃除機と接続してケース内を陰圧にし、その先端に活性炭フィルターを備え気化した薬剤を吸着捕集できることを特徴とする小型調製ケース。
【請求項２】
安全キャビネット内に設置可能な大きさであり、その中で使用することにより、抗癌剤による汚染をケース内に限定し２重の安全対策を講ずることができる請求項１記載の小型調製ケース。
【考案の詳細な説明】
【技術分野】
【０００１】  本考案は、医療機関における注射薬調製の安全な作業環境を維持するための調剤機器に関する。
【背景技術】
【０００２】  日本病院薬剤師会では、注射用抗癌剤の調製にはヘパフィルターを使用した安全キャビネットの使用を推奨している。
文献１  日本病院薬剤師会編：注射剤・抗がん薬無菌調製ガイドライン２００８．５  薬事日報
文献２  日本病院薬剤師会編抗悪性腫瘍剤の院内取扱い指針  抗がん剤調製マニュアル（改訂版）２００５．５  じほう）
【考案の開示】
【考案が解決しようとする課題】
【０００３】しかしながら、以上の技術によれば、ヘパフイルターは気化した注射用抗癌剤については無力であるため、その排気方式によっては室内に再拡散し作業者の暴露の問題が残る。平成２０年５月に発行された日本病院薬剤師会編：注射剤・抗がん薬無菌調製ガイドラインでは全排気型が推奨されている。そこでこの考案は、安全キャビネットのない環境での抗癌剤やその他の注射薬調製に小型の調製ケースとして利用できること、また、安全キャビネット内に設置することにより２重の抗癌剤暴露防御効果が得られ、その作業者に良好な環境を提供することを課題とする。
【課題を解決するための手段】
【０００４】  以上の課題を解決するために、第一考案は、汚染空気を強制排気するとともに気化した薬剤の吸着捕集のため活性炭フィルターを備えたことを特徴とする容積が２０リットルから１００リットル程度の小型調製ケースである。また、第二考案は、従来の安全キャビネット装置内に設置して抗癌剤による汚染を局限化し２重の安全対策を講ずることができることを特徴とする請求項１記載の小型調製ケースである。
【考案の効果】
【０００５】  第一考案は、安全キャビネットなどの設備の無い場所で抗がん剤等の注射薬を調製する際、吸引ファンや吸引ポンプ、市販の掃除機等に接続しケース内を陰圧とし汚染空気を活性炭フィルターで浄化し屋外へ排出できる。第二考案は、当該ケースを安全キャビネット内に設置し吸引ファン又は安全キャビネットの排気装置の差圧を利用し、調製時に発生する気化した抗癌剤を活性炭フィルターにより発生源で捕集吸着する。２つの装置の活性炭フィルターとヘパフィルターを組合わせることにより、より安全な調製が可能となる。
【考案を実施するための最良の形態】
【０００６】  この考案の一実施形態を、図１に示す。
調製ケースの本体１はポリエチレン、ポリプロピレンなど耐薬品性の素材を使用し、その表面は薬品による滅菌、清拭を行うためできるだけ平滑とする。また調製のためケース内に手を差し入れる開口部が２つあり吸気口も兼ねている。調製時の視認性確保のため透明窓を設けておりガラス又は耐薬品性のある合成樹脂を用いる。前面は両側の留め具を外せば開閉できる。背面中央よりやや上部に活性炭フィルターを装着した排気口がありダクトで吸引装置に接続する。
【実施例】
【０００７】  調製ケースを安全キャビネット内で使用する場合は、調製に差し支えない範囲でできるだけ奥に設置する。またケースの内外面は消毒用アルコールで滅菌しておく。
この実施形態によれば、ケース内で調製が行われるため調製者は薬剤の暴露に対し２重の安全がえられ、同時に安全キャビネット内への抗癌剤の広範囲な汚染にも効果がある。
【産業上の利用可能性】
【図面の簡単な説明】
【０００８】
【図１】この考案の一実施形態を示した斜視図である
【符号の説明】
【０００９】１  前面カバー留め具        ２  調製用開口部兼吸気口
３  透明窓                  ４  活性炭フィルター付排気ダクト
【図１】
0003145020.tif 000003
(57)【要約】      （修正有）【課題】高齢者や身体障害者であっても、容易に靴を脱げる靴脱ぎ器を提供する。【解決手段】靴を履いたまま靴脱ぎ台に上がれば、みずからの体重で靴脱ぎ台を安定させる。その上で、半円形の凹みに脱ぎたい靴のカカトを挿入すれば、カカトの微妙な形状も寄与し、半円形の内側に装着した軟質材がカカトをグリップするから、そのまま足を引き抜けば、靴を容易に脱ぐことができる。【選択図】図１
0003145017.tif 000002
【実用新案登録請求の範囲】
【請求項１】
靴脱ぎ台の外縁に特別に設けた、半円形の凹みに、靴のカカトを挿入すると半円形の内側に装着した軟質材が、靴のカカトをグリップし、そのまま足を引き抜けば、手先を用いることなく容易に靴を脱ぐことができる靴脱ぎ器。
【考案の詳細な説明】
【考案の詳細な説明】
【技術分野】
【０００１】本考案は、履いている短靴を容易に脱げる、靴脱ぎ器である。
【背景技術】
【０００２】高齢化につれ、短靴の種類によっては、靴を脱ぐにも上半身を前傾したり、無理な姿勢を強いられるが、そういう無理な姿勢を解消するのに役立つ。
【考案の開示】
【考案が解決しようとする課題】
【０００３】  短靴を脱ぐため、姿勢を前傾するなどの、無理な姿勢を求めずして、短靴を脱ぐことを可能にするものである。
【課題を解決するための手段】
【０００４】  靴脱ぎ台に乗り、凹部に靴のカカトを挿入し、カカトを台に押しつけながら引き抜けば、簡単に靴を脱ぐことかべでき。
【考案の効果】
【０００５】  高齢者や身体的に支障を有し、靴を脱ぐために無理して、前傾姿勢をとるなどが困難な人の靴脱ぎを、無理な姿勢を求めることなく、容易に靴を脱ぐことを可能にできる。
【考案を実施するための最良の形態】
【０００６】図面を参照して本考案実施の形態を説明する。
靴を履いたまま、靴脱ぎ台（４）に乗り、かかと挿入凹み（１）に、履いている靴のカカトを挿入する。すると自動的に、グリップ材（２）がカカトに吸着する状態となる。そこで足を上方に引き抜けば、簡単に靴脱ぎができ、靴だけが凹部に残る。
【図面の簡単な説明】
【図１】靴脱ぎ器の斜視図である。
【符号の説明】
１、靴カカト挿入凹み
２、靴カカトのグリップ材
３、にぎり棒
４、靴脱ぎ台
【図１】
0003145017.tif 000003
(57)【要約】      （修正有）【課題】目的のページだけでなく、文章や見出しを容易に見つけることのできる粘着メモを提供する。【解決手段】方形の紙等適切な媒体に開口窓を設け、その横に斜めあるいは垂直にミシン目を入れ、該開口窓の枠の裏面に粘着機能を付与して構成する。この粘着メモは、書籍の大きさは様々なことから長めとし、閉じたときに引っ張るとミシン目に沿って斜め又は垂直にカットすることが出来る。この時必ず端がはみ出るのでしおり機能となる。しおりや重要部分の目印等にも利用できる粘着メモとなる。又、開口窓に透明フィルムや暗記用に赤や緑のカラーフィルムを貼り使用することも可能である。【選択図】図１
0003145011.tif 000002
【実用新案登録請求の範囲】
【請求項１】
開口窓を有する粘着メモである。又、書籍等に貼って使用する時はミシン目を設けた粘着メモで書籍の寸法に合わせて斜め又は垂直にミシン目に沿ってカットすることが出来るしおり機能も有する粘着メモである。
【考案の詳細な説明】
【技術分野】
【０００１】辞書等の書籍を使用する時に本粘着メモを目的とする文章に貼ることで、文章を再度読みたい時にページのみならず文章や見出しまで即座に見つけることを可能にする粘着メモである。
【背景技術】
【０００２】従来の粘着メモは目的とするページを容易に見つけること可能だが文章や見出しを見つけるのには時間がかかっていた。
【考案の開示】
【考案が解決しようとする課題】
【０００３】従来は粘着メモを書籍に貼ることで目的とするページは容易に見つけられたが、読みたい文章や見出しを見つけることには時間がかかっていた。特に、辞書を使用する場合は文字の大きさが普通の本よりも極端に小さい為、さらに時間が必要であった。本考案はこの課題を解決する為の考案である。
【課題を解決するための手段】
【０００４】開口窓がありその横に斜め又は垂直にミシン目を有する粘着メモである。本粘着メモの使用により目的とするページや文章、見出しまでも即座に見つけることが可能である。又、ミシン目に沿ってカットすることで書籍を閉じても本粘着メモがはみ出るのでしおりとしての機能も有する。
【考案の効果】
【０００５】頻繁に辞書を使用する学生等の場合、一度調べた単語を確認等の為に再度見ることが多い。本粘着メモはしおり機能を有するので辞書に貼ることで目的とするページだけでなく文章の見出しや単語まで即座に見つけることが出来る。
また、辞書はその機能上、紙質が薄くペン等で印をすると裏のページに映ってしまう可能性が高いので本しおりを貼ることで辞書を汚さずに使用することが出来る。
【実施例】
【０００６】本粘着メモは開口窓の枠の裏に粘着機能があり、その横にはミシン目を斜めに入れることによりしおりの機能も有する。書籍にこの粘着メモを貼り書籍を閉じ書籍からはみ出た余計な部分の紙を引っ張ることでミシン目に沿って斜めに本粘着メモをカットすることが可能である。この時、必ず本粘着メモの端が書籍からはみ出すのでしおり機能も有する。  又、ミシン目を垂直に付けると、カットした後はみ出た部分にシールや手書きで見出しをつけることが可能でインデックスとしても使用できる。
【図面の簡単な説明】
【０００７】
【図１】姿図
【符号の説明】
【０００８】▲１▼  付箋紙
▲２▼  開口部分
▲３▼  のり付け
▲４▼  ミシン目（斜め）
▲５▼  ミシン目（垂直）
【図１】
0003145011.tif 000003
【手続補正書】
【提出日】平成20年6月13日(2008.6.13)
【手続補正１】
【補正対象書類名】実用新案登録請求の範囲
【補正対象項目名】全文
【補正方法】変更
【補正の内容】
【実用新案登録請求の範囲】
【請求項１】
本等に挟み使用する１枚のメモで、開口窓を有する部分としおり・見出し機能を有する部分の２つで構成され、開口窓を有する部分は特定の文字を素早く見つける為にメモの一部を切り抜き開口窓とし、その周囲の裏面に取り外しが複数回可能な接着力の弱いのりを付けこの部分を本等に張り付け、のりの付いていないしおり・見出し機能を有する部分はミシン目カッターで斜め又は垂直にミシン目を入れ、本を閉じてはみ出したミシン目の部分を引っ張るとミシン目に沿って切れ、しおり・見出しとなることを特徴とする開口窓を有するしおり機能付粘着メモ。
(57)【要約】【課題】展示する商品に装飾性を付与することが可能な商品展示台及び照明装置を提供する。【解決手段】上面に被展示物を載置可能な展示台本体２０の上面中央に凹部２２が形成されており、該凹部２２の内面には、反射鏡２４が形成され、前記凹部２２の底面には、発光原２６が設けられ、前記反射鏡２４の少なくとも発光源近傍が多色の乱反射が生じるように構成されていることを特徴とする。【選択図】図３
0003145019.tif 000002
【実用新案登録請求の範囲】
【請求項１】
上面に被展示物を載置可能な展示台本体の上面中央に凹部が形成されており、
該凹部の内面には、反射鏡が形成され、
前記凹部の底面には、発光原が設けられ、
前記反射鏡の少なくとも発光源近傍が多色の乱反射が生じるように構成されていることを特徴とする商品展示台。
【請求項２】
前記凹部が有底円筒状に形成されていることを特徴とする請求項１記載の商品展示台。
【請求項３】
前記凹部が上方に開口を有する円錐状に形成されていることを特徴とする請求項１記載の商品展示台。
【請求項４】
発光源と、該発光源からの光を反射可能な反射鏡と、を備え、
前記反射鏡の少なくとも発光源近傍が多色の乱反射が生じるように構成されていることを特徴とする照明装置。
【考案の詳細な説明】
【技術分野】
【０００１】
本考案は、量販店などで商品を展示する商品展示台及び照明装置に関する。
【背景技術】
【０００２】
従来から、量販店などで商品を展示する商品展示台として様々なものが提案されている（特許文献１）。
【特許文献１】特開２００２−１６５６８１号公報
【考案の開示】
【考案が解決しようとする課題】
【０００３】
しかしながら、従来の商品展示台は、商品を単に展示するだけで、展示する商品に装飾性を付与したりするものではなく、消費者を満足させるものではない。そこで、本考案は、展示する商品に装飾性を付与することが可能な商品展示台及び照明装置を提供することを目的とする。
【課題を解決するための手段】
【０００４】
以上の目的を達成するため、本考案は、上面に被展示物を載置可能な展示台本体の上面中央に凹部が形成されており、該凹部の内面には、反射鏡が形成され、前記凹部の底面には、発光原が設けられ、前記反射鏡の少なくとも発光源近傍が多色の乱反射が生じるように構成されていることを特徴とする商品展示台である。
【０００５】
以上のように、本考案に係る商品展示台において、前記凹部の上方又はその近傍に商品を載置すると、多色の乱反射が生じた光を商品に照射することができるので、展示する商品に装飾性を付与することができる。
【０００６】
本考案に係る商品展示台において、前記凹部が有底円筒状に形成されているか、又は前記凹部が上方に開口を有する円錐状に形成されていることが好ましい。
【０００７】
また、本考案は、発光源と、該発光源からの光を反射可能な反射鏡と、を備え、前記反射鏡の少なくとも発光源近傍が多色の乱反射が生じるように構成されていることを特徴とする照明装置である。
【考案の効果】
【０００８】
以上のように、本考案によれば、展示する商品に装飾性を付与することが可能な商品展示台及び照明装置を提供することができる。
【考案を実施するための最良の形態】
【０００９】
次に、本考案に係る照明装置の実施例について図面に基づいて説明する。図１は、本実施例に係る照明装置の正面断面図である。本実施例に係る照明装置は、光源である発光ダイオード１０と、発光ダイオード１０からの光を反射可能な反射鏡１２と、を備えている。反射鏡１２は、上方に開口を有し、下方が先細りとなる略円錐状に形成されている。発光ダイオード１０は、反射鏡の下端部１２Ａの内側に設けられており、反射鏡１２内面の下端部１２Ａから発光ダイオード１０の高さまで、多色の乱反射が生じるホログラム１４が貼着されている。
【００１０】
本実施例に係る照明装置は、反射鏡１２の光源近傍を多色の乱反射が生じるように構成しているので、遊色効果を生じさせることができ、多彩な照明を提供することができる。
【００１１】
次に、本考案に係る商品展示台の第１実施例について図面に基づいて説明する。図２は、第１実施例に係る商品展示台の平面図であり、図３は、図２のＡ―Ａ′線に沿った断面図である。第１実施例に係る商品展示台は、上面に被展示物を載置可能な平面四角状に形成された展示台本体２０を有する。
【００１２】
展示台本体２０の上面中央には、凹部２２が形成されており、凹部２２の内面には、反射鏡２４が形成されている。反射鏡２４は、上方に開口を有し、下方が先細りとなる円錐状に形成されている。反射鏡の下端部２４Ａの内側には、発光源である発光ダイオード２６が設けられており、反射鏡２４内面全域には、多色の乱反射が生じるホログラム２８が貼着されている。
【００１３】
第１実施例に係る商品展示台において、凹部２２の上方又はその近傍に商品を載置すると、ホログラム２８から乱反射が生じた光を商品に照射することができるので、展示する商品に装飾性を付与することができる。
【００１４】
次に、本考案に係る商品展示台の第２実施例について図面に基づいて説明する。図４は、第２実施例に係る商品展示台の平面図であり、図５は、図４のＢ−Ｂ′線に沿った断面図である。第２実施例に係る商品展示台は、反射鏡３０の形状が上方に開口を有する有底円筒状に形成されている点で第１実施例と異なり、その底面３０Ａの中心に発光ダイオード２６に設置され、その全域にホログラム２８が貼着されている。
【図面の簡単な説明】
【００１５】
【図１】本考案に係る照明装置の実施例の正面断面図である。
【図２】本考案に係る商品展示台の第１実施例の平面図である。
【図３】図２のＡ−Ａ′線に沿った断面図である。
【図４】本考案に係る商品展示台の第２実施例の平面図である。
【図５】図４のＢ−Ｂ′線に沿った断面図である。
【符号の説明】
【００１６】
２０   展示台本体
２２   凹部
２４   反射鏡
２６   発光ダイオード
２８   ホログラム
【図１】
0003145019.tif 000003
【図２】
0003145019.tif 000004
【図３】
0003145019.tif 000005
【図４】
0003145019.tif 000006
【図５】
0003145019.tif 000007
【手続補正書】
【提出日】平成20年7月9日(2008.7.9)
【手続補正２】
【補正対象書類名】実用新案登録請求の範囲
【補正対象項目名】全文
【補正方法】変更
【補正の内容】
【実用新案登録請求の範囲】
【請求項１】
上面に被展示物を載置可能な展示台本体の上面中央に凹部が形成されており、
該凹部の内面には、反射鏡が形成され、
前記凹部の底面には、発光源が設けられ、
前記反射鏡の少なくとも発光源近傍には、多色の乱反射が生じるホログラムが貼着されていることを特徴とする商品展示台。
【請求項２】
前記凹部が有底円筒状に形成されていることを特徴とする請求項１記載の商品展示台。
【請求項３】
前記凹部が上方に開口を有する円錐状に形成されていることを特徴とする請求項１記載の商品展示台。
【請求項４】
発光源と、該発光源からの光を反射可能な反射鏡と、を備え、
前記反射鏡の少なくとも発光源近傍には、多色の乱反射が生じるホログラムが貼着されていることを特徴とする照明装置。
(57)【要約】      （修正有）【課題】片方の手だけで実行でき、また簡便にゴムバンドの反発力を利用し、指を１本１本反らす事で、弱まった指に筋力をつける事のできる手指強化具を提供する。【解決手段】台３にゴムバンド２を取り付け、該ゴムバンドの両端に指バンド１を取り付け、手指４を指バンド１と台３との間に入れて、指の筋力強化のため、ゴムバンドの反発力に抗して上下に動かせるようにする。【選択図】図１
0003145015.tif 000002
【実用新案登録請求の範囲】
【請求項１】
ゴムバンド２の両端に指バンド１を取り付けし、この両端と台３との間に手指４を入れて可動可能とした手指強化具。
【考案の詳細な説明】
【技術分野】
【０００１】手指の筋力強化を片方の手で行える。
【背景技術】
【０００２】手で握るのではなく、逆に指を１本１本反らして指の筋力をつける。
【考案の開示】
【考案が解決しようとする課題】
【０００３】手指の第一関節と第二関節の筋力を強くする為に、指をゴムバンドで抑えて逆に力を加えて指の筋力を強くする。
【課題を解決するための手段】
【０００４】弱まった指の筋力を片手で握りながら、１本１本の手指４と指バンド１と台３の間に入れて上下に動かし、ゴムの反発の力を利用して１本１本の指の筋力を強化する。
【考案の効果】
【０００５】弱まった指の筋力をゴムバンドの反発力を利用して指の上下運動で指の筋力を強化する。
【実施例】
【０００６】台３に指バンド１を付けたゴムバンド２を取り付けし、手指４を指バンド１と台３の間に入れて指バンド１を上下に可動する。
【図面の簡単な説明】
【０００７】
【図１】手指４を台３に取り付けした平面図
【図２】ゴムバンド２を指バンド１に取り付けした平面図
【符号の説明】
【０００８】１．指バンド
２．ゴムバンド
３．台
４．手指
５．台側面
６．ゴムバンド挿入穴
７．手型図
【図１】
0003145015.tif 000003
【図２】
0003145015.tif 000004
(57)【要約】      （修正有）【課題】プラスチック繊維不織布のマスクで、収納時平面、装着時球面を成し、その形状が使用時・休止時共に永く保たれる芯材入りマスクを提供する。【解決手段】芯材として細幅平型断面型材を採用し、いずれの部位に於いても外部に露出せず、マスク素材に覆われて居ることが望ましい。細平型材はマスク素材との加工性・親和性から硬質プラスチックが望ましい。耳掛けによる平面から球面への変形に伴い、派生する各種応力に対し、芯材は張力・圧縮力に抵抗し、原型を保ち、製品寿命を延ばす。【選択図】図１
0003145026.tif 000002
【実用新案登録請求の範囲】
【請求項１】
硬質プラスチック細平板形材を芯材として内蔵するマスク。
【考案の詳細な説明】
【技術分野】
【０００１】  本考案は、使用中および使用後、型崩れし易いマスクの形状保持に関する工夫である。
【背景技術】
【０００２】  従来  マスクは初めて装着した暫らくは、使い心地も形状も良好であるが、耳に懸かる張力の所為で、次第に変形し、使い心地も劣悪と成った。【０００３】  収納時は平面で、装着時は顔面に添って球面である工夫として、箱襞が採用されたが、不充分であった。
【考案の開示】
【考案が解決しようとする課題】
【０００４】  箱襞が張力に従い変形するのに対し、張力に交差して起こる圧縮応力対策として芯材を採用する。【０００５】  箱襞は顔面に対し水平方向に採用される場合もあるし、垂直方向に採用される場合もあるが、いずれも箱襞に沿って芯材は施されねば成らない。
【課題を解決するための手段】
【０００６】  芯材として細幅平型断面型材を採用し、いずれの部位に於いても外部に露出せず、マスク素材に覆われて居ることが望ましい。【０００７】  細平型材はマスク素材との加工性・親和性から硬質プラスチックが望ましい。
【考案の効果】
【０００８】  耳掛けによる平面から球面への変形に伴い、派生する各種応力に対し、芯材は張力・圧縮力に抵抗し、原型を保ち、製品寿命を延ばす。
【考案を実施するための最良の形態】
【０００９】  プラスチック繊維不織布によるマスクで、硬質プラスチック型材を芯材として採用する。
【実施例１】
【００１０】  プラスチック繊維不織布の箱襞があるマスクで、箱襞に沿って硬質プラスチック型材を芯材として採用した。
【図面の簡単な説明】
【００１１】
【図１】マスクの箱襞が水平方向にあり、芯材も水平方向にあるマスク。
【図２】マスクの箱襞が垂直方向にあり、芯材も垂直方向にあるマスク。
【符号の説明】
【００１２】  １  箱襞
２  硬質プラスチック型材
【図１】
0003145026.tif 000003
【図２】
0003145026.tif 000004
(57)【要約】      （修正有）【課題】鼻梁を形成する接合部分の当たりが柔らかく、穏やかな感じに仕上げたマスクを提供する。【解決手段】プラスチック繊維不織布の立体裁断によるマスクで、鼻梁部分の接合を材料端部から１〜３ｍｍ離して施していることを特徴とする。これにより接合部分が鼻梁部分の最先端に位置するのを防ぐ。【選択図】図２
0003145027.tif 000002
【実用新案登録請求の範囲】
【請求項１】
立体裁断によるマスクに於いて、鼻梁を形成する接合部分が、材料端部から１〜３ｍｍ離れて施されているもの。
【考案の詳細な説明】
【技術分野】
【０００１】  本考案は、立体裁断によるマスクの鼻梁を形成する接合部分が、他部分と違和感なく、安全である、工夫である。
【背景技術】
【０００２】  従来  立体裁断のマスクは、鼻梁を形成する接合部分が、材料端部にあり、熱圧着などにより、堅く硬化などしていて、当たりが鋭く、不愉快であった。【０００３】  それを他部分と同様に、当たりが柔らかく、穏やかな感じに仕上げる工夫である。
【考案の開示】
【考案が解決しようとする課題】
【０００４】  接合部分が変質して硬くなるのは止むを得ないが、接合部分が鼻梁部分の最先端に位置するのを防ぐ工夫をする。
【課題を解決するための手段】
【０００５】  接合部分を材料端部から１〜３ｍｍ離れた位置に移し施す。
【考案の効果】
【０００６】  接合部分の先にある１〜３ｍｍは原材料のままであるから、当然他の部分同様柔らかい。
【考案を実施するための最良の形態】
【０００７】  プラスチック繊維不織布立体裁断によるマスクで、鼻梁部分の接合を材料端部から１〜３ｍｍ離れた位置に移す。
【実施例１】
【０００８】  プラスチック繊維不織布の立体裁断マスクで、鼻梁に当たる接合を材料端部から１〜３ｍｍ離して施す。
【図面の簡単な説明】
【０００９】
【図１】鼻梁に当たる接合が材料端部にあるマスク。
【図２】鼻梁に当たる接合が材料端部から１〜３ｍｍ離れてあるマスク。
【符号の説明】
【００１０】  １  接合部分
２  不織布素材
【図１】
0003145027.tif 000003
【図２】
0003145027.tif 000004
(57)【要約】      （修正有）【課題】パチンコ盤面に打ち込まれた釘の角度を正確に測定し、誰にでも簡単に釘調整ができる測定ゲージを提供する。【解決手段】円形周面２に分度目盛３を表示した両側が欠けた扇形状分度盤１であって、円形周面２両末端に連設してパチンコ機の盤面６に押し当て可能な直線状当接面４が形成され、円形周面２の頂点と該当接面４との間隔が釘長より短く、当接面４上に円形周面２の目盛９０°に対応する位置に基点５を表示した。【選択図】図１
0003145030.tif 000002
【実用新案登録請求の範囲】
【請求項１】
板体を扇形状に形成し、円形周面Ａに分度目盛を表示した分度盤Ｃには、（ａ）円形周面Ａ両末端に連設してパチンコ機の盤面に押し当て可能な直線状当接面Ｂが形成され、しかも、扇形状分度盤Ｃはその両側が欠けており、
（ｂ）円形周面Ａの頂点と該当接面Ｂ間隔が釘長より短く、
（ｃ）当接面上に、円形周面Ａの目盛９０°に対応する位置に基点を表示したことを特徴とするパチンコ釘角度測定ゲージ。
【考案の詳細な説明】
【技術分野】
【０００１】
本考案は、パチンコ機の盤面上に打ち込まれた多数本の釘角度を測定し、所定の釘角度に調整するためのパチンコ釘角度測定ゲージに関するものである。
【背景技術】
【０００２】
大衆の遊戯娯楽機として長年パチンコが。楽しまれており、駅の周辺や商店街等において多数のパチンコ店が営業している。パチンコは、遊戯玉を打ち、入賞すると決められた遊戯玉が遊戯者（客）に還元され、遊戯玉の数の多さによって商品が提供され、遊戯者に利益がもたらされものである。
パチンコ機の盤面には多数の釘が打ち込まれており、遊戯玉を一定の方向に案内したり、入賞口に遊戯玉を誘導するようになっている。通常、釘はパチンコ機メーカーで所定の位置に打ち込まれた状態で出荷されるが、この時点では釘の向きは一定ではなくバラバラの状態である。
【０００３】
このため、各パチンコ店ではパチンコ機の購入後に店に方針に基づいて全ての釘の角度調整を行っている。
更に、店の閉店後或いは開店前に必要な個所の釘の角度調整を行い、特に、入賞口に面する釘や入賞口に案内する釘の角度を調整することで各パチンコ機のその日の出球率を制御している。
【０００４】
このような釘の調整は、非常に難しく熟練を要するために通常は釘師と呼ばれる専門家によってなされている。しかし、近年、釘師の数が少なく、パチンコ店ではその確保に苦慮しているが、熟練を要することなく釘角度を測定し、調整するための角度測定具が望まれ、各種の角度測定具が知られている。
【０００５】
例えば、本出願人の調査によれば、特開平１０−３００４０４号公報「パチンコ台釘角度測定器」、特開平９−１８２８３２号公報「パチンコ機の釘角度測定冶具」及び特開平９−９４３２６号公報「パチンコ機の釘角度測定冶具」等がある。
【０００６】
【特許文献１】特開平１０−３００４０４号公報
【特許文献２】特開平９−１８２８３２号公報
【特許文献３】特開平９−９４３２６号公報
【考案の開示】
【考案が解決しようとする課題】
【０００７】
従来のパチンコ台では、限定された広さのパチンコ機盤面に多数の釘が打たれており、釘の間隔も狭く、また役物も配置されている等と種々の障害物があり、一義的に盤面の釘角度を測定することは容易でない。
【０００８】
本考案は、上記する従来の公知技術の問題点に鑑み、熟練を要することなく短時間で簡単に釘角度を測定し、角度調整を可能としたパチンコ釘角度測定ゲージを提供することを目的とするものである。
【課題を解決するための手段】
【０００９】
上記の目的を達成するために、本考案者は種々検討した結果、パチンコ釘角度測定ゲージは、（イ）板体を扇形状に形成し、（ロ）円形周面Ａに度数目盛を表示した分度盤Ｃ、（ハ）円形周面Ａ両末端に連設してパチンコ機の盤面に押し当て可能な直線状当接面Ｂが
形成され、（ニ）円形周面Ａの頂点と該当接面Ｂ間隔が釘長より短く、（ホ）扇形状分度盤Ｃはその両側が欠けており、（ヘ）当接面上に、円形周面Ａの目盛９０°に対応する位置に基点を表示した構成とした。
【考案の効果】
【００１０】
以上の通り、本考案によれば、（イ）全体形状を扇形とした分度盤は板体で形成されているので、釘と釘と役物等の狭い空間に入れて特定の釘角度の測定が可能である利点がある。
（ロ）分度盤の円形周面と当接面との間隔が釘長よりも短くなっているので、分度盤の測定面と釘の側面とを平行にすることができ、更に、釘の頭部が邪魔にならず、角度測定の精度を高めることができる。
（ハ）この分度盤は単体で片手で持ち易くて角度測定・調整作業が楽である。  （ニ）当接面Ｂ上に、円形周面Ａの目盛９０°に対応する位置に基点を表示したので、釘角度の測定が容易である。
【考案を実施するための最良の形態】
【００１１】
以下、図面に従って本考案の形態を詳細に説明する。
図１は、本考案のパチンコ釘角度測定ゲージを示す模式図である。
即ち、板体を扇形状に加工して分度盤１を形成したものである。
この分度盤１の円形周面２に沿って度数目盛３を表示してある。度数目盛３は、円形周面２の中心位置を９０°とし、その両側に１°ずつの目盛を形成したものである。
分度盤１の円形周面２の両末端に連設してパチンコ機の盤面に押し当て可能な直線状当接面４が形成され、当接面４上に、円形周面２によって形成される分度盤１の中心位置９０°に対応する位置に基点５を表示している。
この当接面４は、後記するパチンコ機の盤面６に押し当てる面であり、円形周面２の頂点と当接面４との間隔が盤面６に打ち込まれている釘長より短く形成してある。
【００１２】
本考案のパチンコ釘角度測定ゲージは上記構成であり、次に釘角度の測定について説明する。
図２は、パチンコ盤面６に打ち込んである釘７の垂直（上下）方向の傾斜角度を見たゲージ使用図である。
即ち、測定すべき釘７の側面に接して分度盤１を垂直に立て、当接面４を盤面６に押し当てる。この時、釘７の頭部８は、分度盤１の円形周面２よりも外側に位置し、この状態で釘７の打ち込み基部と前記基点５を合わせることで盤面６に対する釘７の傾斜角度を測定することができる。
【００１３】
図３は、視野がパチンコ盤面６の上方から打ち込んだ釘７を左右方向に見たゲージ使用図である。
即ち、釘７の水平（左右）方向の角度測定を行う場合には、図３に示すように、分度盤の水平方向の傾斜角度を測定することができる。
【産業上の利用可能性】
【００１４】
本考案のパチンコ釘角度測定ゲージを使用すれば熟練を要することなく釘の角度測定及び角度調整を行うことができ、各パチンコ店では店員にゲージを持たせることで出玉率を制御することができる。
【図面の簡単な説明】
【００１５】
【図１】本考案のパチンコ釘角度測定ゲージを示す模式図である。
【図２】本考案のゲージを使用した釘の上下方向の角度測定を行った正面図である。
【図３】本考案のゲージを使用した釘の左右方向の角度測定を行った正面図である。
【符号の説明】
【００１６】
１  分度盤
２  円形周面
３  分度目盛
４  当接面
５  基点
６  パチンコ機盤面
７  釘
８  釘頭部
【図１】
0003145030.tif 000003
【図２】
0003145030.tif 000004
【図３】
0003145030.tif 000005
(57)【要約】【課題】杖に着脱可能な傘を提供する。【解決手段】傘本体の軸１を太くし内部を中空構造にして、杖４を通して使用する事により、省スペース化を実現、使用時は固定紐２を外して杖４から離脱させ使用する事により従来品の欠点である傘使用時に杖の役目を果さなくなる事も補う事が出来た。【選択図】図２
0003145029.tif 000002
【実用新案登録請求の範囲】
【請求項１】
軸内部を中空構造にし、杖を通して持ち運べる傘。
【考案の詳細な説明】
【技術分野】
【０００１】本考案は、太くした軸内部を中空にし、杖を通して持ち運びが可能な傘に関するものである。
【背景技術】
【０００２】従来、杖一体型の物はあった。
【考案の開示】
【考案が解決しようとする課題】
【０００３】杖一体型の傘は、傘使用時に杖の機能が失われる。また分離出来ない為、常に傘を持ち歩く事になり傘部分の劣化も招く。本考案はこれらの欠点を除く為になされたものである。
【課題を解決するための手段】
【０００４】従来品の欠点である傘使用時の杖機能の喪失を改善にする為、傘から杖の機能を除去し杖に着脱可能にする為、傘本体の中心軸部分を中空構造にした。分離して両機能を同時に活用可能にし、問題点を解決した。
【考案の効果】
【０００５】上述のように、本考案の中空軸構造の傘は構造を変えた事により杖の機能が無い為材料費も安価であり、常に杖を使用している方の現有する杖に装着が自由なので傘部分の劣化破損も軽減出来る。
【考案を実施するための最良の形態】
【０００６】中空軸構造の傘本体の手元部分には杖を通す穴が開いており、そこから杖を差込んで傘手元の固定紐を杖の柄に巻き付け固定し装着は完了。降雨使用時は固定紐を外し、杖から離脱させて使用する。
【実施例】
【０００７】以下、添付図面に従って一実施例を説明する。１は耐久性のある適宜素材で形成された傘本体、杖を１ａ杖挿入穴から挿入し杖４に固定紐２で固定する。杖４は傘本体１の中空軸の中心を貫通し開閉式石突先端部分３を押し開き貫通した状態で杖は使用し、傘使用時は固定紐２を杖４から外し、杖４を引抜き分離して傘と杖を使用する。
【図面の簡単な説明】
【０００８】
【図１】本考案の中空軸構造の傘の斜視図である。
【図２】傘本体に杖を通した状態の斜視図である。
【符号の説明】
【０００９】１    傘本体
１ａ  杖挿入穴
２    固定紐
３    開閉式石突先端部分
４    杖
【図１】
0003145029.tif 000003
【図２】
0003145029.tif 000004
(57)【要約】      （修正有）【課題】着崩れを防ぎ、着付け作業も楽になる衣紋抜きを提供する。【解決手段】衣紋抜きの部分１を従来の２倍程度の幅とすると共に衿と一体化し、しっかり衣紋を取り付けることができるように、その中ほどの両脇に衣紋を止めるためのひも２を該衣紋抜きの部分１に直接付ける。【選択図】図１
0003145007.tif 000002
【実用新案登録請求の範囲】
【請求項１】
衣紋抜きに直接ヒモを付ける事で、しっかり衣紋を止める為。
【考案の詳細な説明】
【考案の詳細な説明】
【考案が解決しようとする課題】
【０００１】  今まで、衣紋抜きと称して着物を着たときの衣紋を止めるための襦袢に付ける付属布はあったが、その効果はあまり優れた物ではなかった。
【課題を解決するための手段】
【０００２】  今まであった衣紋抜きの形に、衣紋を止めるためのヒモを直接付けた。
【考案の効果】
【０００３】  衣紋をしっかり固定することで、着崩れを防ぎ、着付けの作業も楽になる。
【図面の簡単な説明】
【図１】  ヒモ付きの衣紋抜きの図である。衣紋抜きの適正な場所にヒモを付ける。
【符合の説明】
１  衣紋抜きの部分
２  ヒモの部分
【図１】
0003145007.tif 000003
【手続補正書】
【提出日】平成20年6月16日(2008.6.16)
【手続補正１】
【補正対象書類名】実用新案登録請求の範囲
【補正対象項目名】全文
【補正方法】変更
【補正の内容】
【実用新案登録請求の範囲】
【請求項１】
衣紋抜きの中ほど両脇に直接ヒモを付ける事で、しっかり衣紋を止める事の出来る衣紋抜き。
【手続補正２】
【補正対象書類名】明細書
【補正対象項目名】０００２
【補正方法】変更
【補正の内容】
【０００２】今まであった衣紋抜きの形を今までの倍ほどの巾にして、衿としっかり一体化し、その中ほどの両脇に、衣紋を止めるためのヒモを直接付けた。